(57)【要約】【課題】フィット感が良好なゴルフ用手袋を提供する。【解決手段】ゴルフ用手袋は、装着者の掌に当接する手掌部３の少なくとも一部を含む領域を構成する本体パーツ１Ａと、装着者の指に当接する部分において本体パーツ１Ａに縫合される襠材とを備える。本体パーツ１Ａは、手掌部３側の装着者の指の関節部以外に当接する部分の幅を広げるように設けられた拡幅部３２１,３３１,３４１,３５１と、手掌部３側の装着者の指の関節部に当接する部分の幅を拡幅部に対して減じるように設けられた凹部３２２,３３２,３４２,３５２とを有する。襠材は、凹部３２２,３３２,３４２,３５２に嵌り合うように形成された凸部を有する。【選択図】図２
2008253486.tif 000002
【特許請求の範囲】
【請求項１】
装着者の人差指、中指、薬指および小指の各指をそれぞれ受け入れる人差指部、中指部、薬指部および小指部を有するゴルフ用手袋であって、
装着者の掌に当接する手掌部の少なくとも一部を含む領域を構成する第１パーツと、
前記手掌部における装着者の指に当接する部分に縫合される第２パーツとを備え、
前記第１パーツは、前記人差指部、中指部、薬指部および小指部のうちの少なくとも１箇所の指部において、
前記手掌部側の前記装着者の指の関節部以外に当接する部分の幅を広げるように設けられた拡幅部と、
前記手掌部側の前記装着者の指の関節部に当接する部分の幅を前記拡幅部に対して減じるように設けられた凹部とを有し、
前記第２パーツは、隣接する前記第１パーツに向かって突出し、前記凹部に嵌り合うように形成された凸部を有する、ゴルフ用手袋。
【請求項２】
前記手掌部を構成する第１パーツは、縫合前の状態で装着者の人差指から小指の各指に当接する部分間の中心間隔が、指先側に向かうにつれて広がるように形成されている、請求項１に記載のゴルフ用手袋。
【請求項３】
前記第１と第２パーツが重ね合わせ縫いにより縫合されている、請求項１または請求項２に記載のゴルフ用手袋。
【請求項４】
前記人差指部、中指部、薬指部および小指部の全ての指部において、各指部の少なくとも一方の側面側に前記拡幅部および前記凹部が設けられている、請求項１から請求項３のいずれかに記載のゴルフ用手袋。
【請求項５】
前記人差指部、中指部、薬指部および小指部のうちの少なくとも１箇所の指部において、各指部の親指側にのみ前記拡幅部および前記凹部が設けられている、請求項１から請求項３のいずれかに記載のゴルフ用手袋。
【請求項６】
前記人差指部、中指部、薬指部および小指部のうちの少なくとも１箇所の指部において、各指部の両側に前記拡幅部および前記凹部が設けられている、請求項１から請求項３のいずれかに記載のゴルフ用手袋。
【請求項７】
前記人差指部、中指部、薬指部および小指部のうちの少なくとも１箇所の指部において、前記拡幅部は、前記装着者の指の先端と当該指の第１関節との間に当接する第１拡幅部と、前記装着者の指の第１関節と当該指の第２関節との間に当接する第２拡幅部と、前記装着者の指の第２関節と当該指の根元との間に当接する第３拡幅部とを含み、
前記第１拡幅部の幅に対して前記第２拡幅部の幅が広く、該第２拡幅部の幅に対して前記第３拡幅部の幅が広い、請求項１から請求項６のいずれかに記載のゴルフ用手袋。
【請求項８】
装着者の人差指、中指、薬指および小指の各指をそれぞれ受け入れる人差指部、中指部、薬指部および小指部を有するゴルフ用手袋であって、
装着者の掌に当接する手掌部の少なくとも一部を含む領域を構成する第１パーツと、
前記手掌部における装着者の指に当接する部分に縫合される第２パーツとを備え、
前記人差指部、中指部、薬指部および小指部のうちの少なくとも１箇所の指部において、各指部における前記手掌部側の前記装着者の指の関節部に当接する部分の前記第１パーツの幅が、当該指部における前記第１パーツの他の部分の幅に対して相対的に狭くなるように前記第１パーツが形成され、
前記第２パーツは、隣接する前記第１パーツに向かって突出し、前記関節部に位置する指部の周囲長を補うように形成された凸部を有する、ゴルフ用手袋。
【発明の詳細な説明】
【技術分野】
【０００１】
本発明は、ゴルフ用手袋に関し、特に、ゴルファーが装着するゴルフ用手袋に関する。
【背景技術】
【０００２】
ゴルフクラブのグリップ部の握り方は、以下の点で特徴的である。すなわち、スキーのストックや野球バットのグリップ部を握る場合、図２０（ａ）に示すように、ストックやバットのグリップ部Ｇを指（人差指〜小指）の方向（図２０（ａ）中の上下方向）に対して垂直に配置し、その状態で指を揃えて握る（図２０（ｂ））のが一般的である。これに対し、ゴルフクラブのグリップ部を握る場合は、図２１（ａ）に示すように、人差指側が指先側にずれるようにゴルフクラブのグリップＧを指（人差指〜小指）の方向（図２１（ａ）中の上下方向）に対して斜めに配置し、その状態で人差指側を甲側、小指側を掌側に少しずらして握る（図２１（ｂ））のが一般的である。
【０００３】
スキー用や野球用の手袋が従来から用いられており、同様に、ゴルファーが装着するゴルフ用手袋も従来から広く用いられている。
【０００４】
スキーのストックや野球バットなどを握る場合、それらのグリップ部には手袋の手掌部が主に当接する。これに対し、ゴルフクラブを握る場合、そのグリップ部には、手袋の手掌部のみならず、手掌部から指部の側面側にずれた位置も当接することになる。
【０００５】
ゴルフ用手袋の指部は、掌材、甲材およびそれらの間に設けられる２片の襠（まち）材を互いに縫合することにより構成されるのが一般的である。典型的には、掌材、甲材および２片の襠材が略四角形を形成するように、４箇所が縫い合わされる。
【０００６】
上記のように、ゴルフクラブのグリップ部を握る場合は、手袋における手掌部から指部の側面側にずれた位置がグリップ部に当接するので、掌材と襠材との間の縫目がゴルファーの指とグリップ部との間に介在しやすい傾向にある（図２１（ｂ）中の「ａ」部）。ゴルファーの指とグリップ部との間に縫目が介在することにより、異物感が発生し、フィット感が悪化する。外観を重視して掌材と襠材とを内縫いで縫合した場合は指部の内側に突出部が形成されるため、当該縫目がゴルファーの指とグリップ部との間に介在することによるフィット感の悪化が顕著になる。フィット感の向上の観点からは、ゴルファーの掌とグリップ部との間に縫目の無いゴルフ用手袋が望まれる。
【０００７】
ところで、従来の手袋が記載された文献としては、特開２００６−２８６７６号公報（特許文献１）、特開２００５−２８１８７２号公報（特許文献２）、実開平７−１８７６５号公報（特許文献３）、登録実用新案第３０５４１３２号公報（特許文献４）、特開２０００−２６５３０６号公報（特許文献５）、実開平６−５２８７７号公報（特許文献６）および実用新案公告第２８８６号公報（特許文献７）などが挙げられる。
【０００８】
特許文献１〜５においては、指部を除く手掌部と指部とを別々の部材で構成するようにした手袋が開示されている。
【０００９】
特許文献６においては、ゴルフ用手袋において、手掌本体の各指部の幅を手甲本体の各指部の幅よりも広くすることが記載されている。
【００１０】
また、特許文献７においては、装着者の指の関節部分において掌材が太くなり、それ以外の部分で襠材が太くなるように、掌材と襠材とに凹凸を設けることが記載されている。
【特許文献１】特開２００６−２８６７６号公報
【特許文献２】特開２００５−２８１８７２号公報
【特許文献３】実開平７−１８７６５号公報
【特許文献４】登録実用新案第３０５４１３２号公報
【特許文献５】特開２０００−２６５３０６号公報
【特許文献６】実開平６−５２８７７号公報
【特許文献７】実用新案公告第２８８６号公報
【発明の開示】
【発明が解決しようとする課題】
【００１１】
特許文献１〜５に記載された手袋では、指部を除く手掌部と指部とを別々の部材で構成することにより、手掌部と指の側面部との間の縫目が無くなる代わりに、指部の根元に縫目が位置することになる。したがって、フィット感の向上を十分に期待することができない場合がある。
【００１２】
特許文献６に記載された手袋では、手掌部と指の側面部の間、および、指部の根元に縫目が存在しなくなる。しかしながら、特許文献６に記載の手袋では、指部において手掌部を構成する部材を拡幅しているため、手掌部を構成する部材の指部がコの字状（Ｃ字状）になり、指を曲げる際の抵抗が大きくなる。装着者が指を曲げにくくなる結果、フィット感の向上が十分に期待できなくなる場合がある。
【００１３】
特許文献７に記載された手袋では、装着者の指の関節部分に相当する位置において手掌部を構成する部材が拡幅されているため、特許文献６の場合と同様に、装着者が指を曲げにくくなり、フィット感の向上が十分に期待できなくなる場合がある。
【００１４】
本発明は、上記のような問題に鑑みてなされたものであり、本発明の目的は、フィット感が良好なゴルフ用手袋を提供することにある。
【課題を解決するための手段】
【００１５】
本発明に係るゴルフ用手袋は、装着者の人差指、中指、薬指および小指の各指をそれぞれ受け入れる人差指部、中指部、薬指部および小指部を有するゴルフ用手袋であって、装着者の掌に当接する手掌部の少なくとも一部を含む領域を構成する第１パーツと、手掌部における装着者の指に当接する部分に縫合される第２パーツとを備える。
【００１６】
なお、上記第１パーツは、手掌部のみを構成するものであってもよいし、装着者の掌に当接する手掌部と装着者の手の甲に当接する手甲部とを構成するものであってもよい。
【００１７】
１つの局面では、本発明に係るゴルフ用手袋において、第１パーツは、人差指部、中指部、薬指部および小指部のうちの少なくとも１箇所の指部において、手掌部側の装着者の指の関節部以外に当接する部分の幅を広げるように設けられた拡幅部と、手掌部側の装着者の指の関節部に当接する部分の幅を拡幅部に対して減じるように設けられた凹部とを有し、第２パーツは、隣接する第１パーツに向かって突出し、凹部に嵌り合うように形成された凸部を有する。
【００１８】
上記構成によれば、第１と第２パーツの縫目が掌と指の側面との境界から指の側面側にずれるため、ゴルフ用手袋を装着してゴルフクラブのグリップ部を握ったときに、関節部以外の部分では、ゴルファーの手とゴルフクラブのグリップ部との間に縫目が介在しない。更に、関節部では第１パーツに凹部が設けられているため、装着者が指を曲げやすい。また、第２パーツに上記凹部に嵌合する凸部を設けることで、関節部と関節部以外とにおいて指部の周囲長を合わせることができるので、関節部では指部に必要な周囲長を確保するとともに、関節部以外の部分では指部の周囲長が不必要に大きくなってごわつき感が生じることを抑制することができる。以上の結果として、ゴルフ用手袋において、良好なフィット感が得られる。
【００１９】
なお、本願明細書において「指の関節部」とは、指の第１関節と第２関節とを意味する。なお、「第１関節」とは、指の先端に近い関節を意味し、「第２関節」とは、指の「第１関節」と指の付根との間に位置する関節を意味する。
【００２０】
また、上記ゴルフ用手袋において、「凹部」および「凸部」は、典型的には第１関節部と第２関節部の双方に形成されるが、第１関節部と第２関節部の一方のみに「凹部」および「凸部」が形成されてもよい。
【００２１】
好ましくは、上記ゴルフ用手袋において、手掌部を構成する第１パーツは、縫合前の状態で装着者の人差指から小指の各指に当接する部分間の中心間隔が、指先側に向かうにつれて広がるように形成されている。ここで、第１と第２パーツの縫合後においては、各指部は略平行に形成される。
【００２２】
好ましくは、上記ゴルフ用手袋において、第１と第２パーツが重ね合わせ縫いにより縫合されている。
【００２３】
上記構成によれば、第１と第２パーツを重ね合わせ縫いで縫合することで、仮に当該縫合線がゴルファーの手とゴルフクラブのグリップ部との間に介在したとしても、ごわつき感を小さく抑制することが可能である。
【００２４】
１つの局面では、上記ゴルフ用手袋において、人差指部、中指部、薬指部および小指部の全ての指部において、各指部の少なくとも一方の側面側に拡幅部および凹部が設けられている。
【００２５】
他の局面では、上記ゴルフ用手袋において、人差指部、中指部、薬指部および小指部のうちの少なくとも１箇所の指部において、各指部の親指側にのみ拡幅部および凹部が設けられている。
【００２６】
さらに他の局面では、上記ゴルフ用手袋において、人差指部、中指部、薬指部および小指部のうちの少なくとも１箇所の指部において、各指部の両側に拡幅部および凹部が設けられている。
【００２７】
好ましくは、上記ゴルフ用手袋において、人差指部、中指部、薬指部および小指部のうちの少なくとも１箇所の指部において、拡幅部は、装着者の指の先端と当該指の第１関節との間に当接する第１拡幅部と、装着者の指の第１関節と当該指の第２関節との間に当接する第２拡幅部と、装着者の指の第２関節と当該指の根元との間に当接する第３拡幅部とを含み、第１拡幅部の幅に対して第２拡幅部の幅が広く、該第２拡幅部の幅に対して第３拡幅部の幅が広い。
【００２８】
上記構成によれば、グリップ時に指とグリップ部との間に縫目が介在することをより確実に防止することができる。
【００２９】
本発明に係るゴルフ用手袋において、他の局面では、人差指部、中指部、薬指部および小指部のうちの少なくとも１箇所の指部において、各指部における手掌部側の装着者の指の関節部に当接する部分の第１パーツの幅が、当該指部における第１パーツの他の部分の幅に対して相対的に狭くなるように第１パーツが形成され、第２パーツは、隣接する第１パーツに向かって突出し、第１パーツにおける関節部に位置する指部の周囲長を補うように形成された凸部を有する。
【００３０】
上記構成によれば、第１と第２パーツの縫目が掌と指の側面との境界から指の側面側にずれるため、ゴルフ用手袋を装着してゴルフクラブのグリップ部を握ったときに、関節部以外の部分では、ゴルファーの手とゴルフクラブのグリップ部との間に縫目が介在しない。他方、関節部では手掌部を構成する第１パーツの幅が狭く設定されているため、装着者が指を曲げやすい。また、第１パーツにおける関節部に当接する部分の幅を補う凸部を設けることで、関節部と関節部以外とにおいて指部の周囲長を合わせることができるので、関節部では指部の必要な周囲長を確保するとともに、関節部以外の部分では指部の周囲長が不必要に大きくなってごわつき感が生じることを抑制することができる。以上の結果として、ゴルフ用手袋において、良好なフィット感が得られる。
【００３１】
なお、上記ゴルフ用手袋において、典型的には、第１関節部と第２関節部の双方において第１パーツの幅を第１パーツの他の部分の幅に対して「相対的に狭く」形成するが、第１関節部と第２関節部の一方のみにおいて第１パーツの幅を第１パーツの他の部分の幅に対して「相対的に狭く」形成するようにしてもよい。
【発明の効果】
【００３２】
本発明によれば、上記のように、異物感を抑制し、フィット感を良好にしたゴルフ用手袋を提供することができる。
【発明を実施するための最良の形態】
【００３３】
以下に、本発明の実施の形態について説明する。なお、同一または相当する部分に同一の参照符号を付し、その説明を繰返さない場合がある。
【００３４】
なお、以下に説明する実施の形態において、個数、量などに言及する場合、特に記載がある場合を除き、本発明の範囲は必ずしもその個数、量などに限定されない。また、以下の実施の形態において、各々の構成要素は、特に記載がある場合を除き、本発明にとって必ずしも必須のものではない。また、以下に複数の実施の形態が存在する場合、特に記載がある場合を除き、各々の実施の形態の特徴部分を適宜組合わせることは、当初から予定されている。
【００３５】
図１は、本発明の１つの実施の形態に係るゴルフ用手袋を手の甲側から見た状態を示す図である。図１を参照して、本実施の形態に係るゴルフ用手袋１は、装着者の手の甲に当接する手甲部２と、装着者の掌に当接する手掌部３（図２〜図６参照）とを有する。ここで、「掌」とは手首から先の内側の面（指を含む）を意味し、「手の甲」とは掌の反対側を意味する。
【００３６】
ゴルフ用手袋１には、装着者の親指、人差指、中指、薬指および小指をそれぞれ受け入れる親指部１０、人差指部２０、中指部３０、薬指部４０および小指部５０がそれぞれ形成されている。
【００３７】
図２は、ゴルフ用手袋１の手甲部２および手掌部３を構成する本体パーツ１Ａを示す図である。図２を参照して、本体パーツ１Ａは、ゴルフ用手袋１における手甲部２および手掌部３の主要部分を構成する。手甲部２は、人差指当接部２２０、中指当接部２３０、薬指当接部２４０および小指当接部２５０を含み、手掌部３は、人差指当接部３２０、中指当接部３３０、薬指当接部３４０および小指当接部３５０を含む。図２に示すように、本体パーツ１Ａにおいては、手甲部２の人差指当接部２２０と手掌部３の人差指当接部３２０とが連続している。
【００３８】
手掌部３における人差指当接部３２０、中指当接部３３０、薬指当接部３４０および小指当接部３５０は、それぞれ、拡幅部３２１,３３１,３４１,３５１および凹部３２２,３３２,３４２,３５２を有する。拡幅部３２１,３３１,３４１,３５１は、装着者の指の関節部以外に相当する位置に形成される。他方、凹部３２２,３３２,３４２,３５２は、装着者の指の関節部に相当する位置に形成される。したがって、本体パーツ１Ａでは、指部における関節部以外に当接する部分の手掌部３の幅（Ａ１）が、関節部に当接する部分の手掌部３の幅（Ｂ１）よりも広い。
【００３９】
図３は、図２に示す本体パーツ１Ａの変形例を示す図である。上述した図２の例では、中指当接部３３０および薬指当接部３４０の両側（図２中の左右両側）に拡幅部３３１,３４１および凹部３３２,３４２が形成されているのに対し、本変形例は、図３に示すように、中指当接部３３０および薬指当接部３４０における親指側にのみ（図３中における右側にのみ）、拡幅部３３１,３４１および凹部３３２,３４２が形成されていることを特徴とする。
【００４０】
図４は、図２に示す本体パーツ１Ａの他の変形例を示す図である。上述した図２，図３の例では、本体パーツ１Ａが手甲部２および手掌部３を構成するのに対し、本変形例は、本体パーツ１Ａは手掌部３のみを構成し、手甲部３は他の本体パーツ（図示せず）により構成することを特徴とする。
【００４１】
図５，図６は、比較例に係る本体パーツ１Ａを示す図である。なお、図５は、本体パーツ１Ａが手甲部２および手掌部３を構成する場合を示し、図６は、本体パーツ１Ａが手掌部３のみを構成する場合を示す。
【００４２】
図５，図６の例では、図２〜図４の例で示した拡幅部および凹部が各指当接部に形成されていない。したがって、図５，図６の例では、縫合前の状態で各指部を構成する部分を略平行に形成しても、本体パーツ１Ａにおける各指部に相当する部分の幅を確保することができる。
【００４３】
しかしながら、図２〜図４のように、各指当接部に拡幅部および凹部を形成する場合、各指部を構成する部分を略平行に形成すると、関節部において、本体パーツ１Ａにおける各指部に相当する部分の幅が不足することになる。
【００４４】
これに対し、本実施の形態に係るゴルフ用手袋１では、図２〜図４に示すように、手掌部３を構成する本体パーツ１Ａは、縫合前の状態で各指部を構成する部分の中心間隔が、指先側に向かうにつれて広がるように形成されている。このようにすることで、本体パーツ１Ａにおける各指部に相当する部分の幅を確保することができる。
【００４５】
図７は、中指部３０における掌側の本体パーツ１Ａと側面部を構成する襠材４との縫合部を拡大して示した図である。図７を参照して、本体パーツ１Ａにより構成された手掌部３は、襠材４と縫い合わされる。襠材４は、凹部３３２に嵌り合うように形成された凸部４３１を有する。このような凸部４３１を設けることにより、凹部３３２により減じられた中指部３０の周囲長が補われ、装着者の指の関節部以外に相当する部分（Ａ部）に位置する中指部３０の周囲長と、該装着者の指の関節部に相当する部分（Ｂ部）に位置する中指部３０の周囲長とを合わせることができる。
【００４６】
なお、図７では、中指部３０を例に挙げて説明したが、人差指部２０,薬指部４０およぼ小指部５０においても、同様の構造が採用される。
【００４７】
次に、ゴルフ用手袋１における指部（人差指部２０〜小指部５０）の断面を模式的に示した図８，図９を用いて、指部における各部材の縫合方法について説明する。なお、図８，図９中の二点鎖線は、装着者の指を示す。
【００４８】
図８は、図７におけるＡ部（関節部以外）に相当する部分の断面を示し、図９は、図７におけるＢ部（関節部）に相当する部分の断面を示している。図８,図９を参照して、装着者の指を受け入れる指部（人差指部２０〜小指部５０）は、本体パーツ１Ａと、２つの襠材４とを縫い合わせることにより筒状に形成されている。なお、図８,図９の例では、手掌部３側の本体パーツ１Ａと襠材４とは、図８,図９中のα部において、互いに内側に折り曲げられた状態で縫合（本願明細書では、これを「内縫い」と称する。）され、手甲部２側の本体パーツ１Ａと襠材４とは、図８,図９中のβ部において、襠材４上に本体パーツ１Ａを重ねた状態で縫合（本願明細書では、これを「重ね合わせ縫い」と称する。）されている。
【００４９】
装着者の指の関節部以外においては、手掌部３側の本体パーツ１Ａの幅が広く設定されているため、図８に示すように、本体パーツ１Ａと襠材４との縫合部（α部）が、手掌部３から指の側面側に回り込んだ位置に形成されている。ゴルフクラブのグリップ部を握る場合は、手掌部３から指の側面側にずれた位置がグリップ部に当接する傾向にあるため、上記のように、本体パーツ１Ａと襠材４との縫合部を手掌部３と指の側面との境界部分から指の側面側にシフトさせることで、グリップ時に指とグリップ部との間に縫目が介在することを抑制することができ、良好なフィット感が得られる。
【００５０】
他方、装着者の指の関節部においては、図９に示すように、手掌部３を構成する本体パーツ１Ａは、平面状に形成されている。図８の構造を関節部に適用した場合、図１０（ａ）に示すように、関節部において手掌部３を構成する本体パーツ１Ａがコの字状に形成されるため、指を曲げる際の抵抗が大きく、指が曲げにくくなり、結果としてフィット感が悪化する。これに対し、図９の構造を関節部に適用した場合、図１０（ｂ）に示すように、関節部において手掌部３を構成する本体パーツ１Ａが平面状に形成されているため、指を曲げる際の抵抗が比較的小さく、指を曲げやすくなり、結果としてフィット感が良好になる。なお、図９に示す断面では、グリップ時に指とグリップ部との間に内縫いの縫合部（α部）が介在することになるが、関節部においては、グリップ時に指とグリップ部とが直接接触する度合いが少ないため、フィット感には大きくは影響しない。
【００５１】
なお、上述した図２，図３に示す本体パーツ１Ａの例では、人差指当接部３２０の親指側には、上記の拡幅部および凹部は設けられていない。これは、図２，図３の例では、人差指当接部３２０の親指側では、そもそも本体パーツ１Ａと襠材４との縫合線が存在しないため、縫合線が装着者の手とゴルフクラブのグリップ部との間に介在することによるフィット感の悪化の問題が生じないからである。
【００５２】
また、上述した図２〜図４に示す本体パーツ１Ａの例では、小指当接部３５０の親指と反対側には、上記の拡幅部および凹部は設けられていない。これは、小指当接部３５０の親指と反対側は、グリップ時にゴルフクラブのグリップ部と接し難い部分であるため、この部分において、縫合線が装着者の手とゴルフクラブのグリップ部との間に介在することによるフィット感の悪化の問題が生じ難いからである。
【００５３】
本実施の形態に係るゴルフ用手袋において、本体パーツ１Ａは、たとえば羊革、山羊革、牛革等の天然皮革、基布を主として不織布で構成した人工皮革、または基布を主として織布で構成した合成皮革などにより構成される。なお、手甲部２と手掌部３とを別部材で構成する際は、手甲部２側に伸縮性の高い素材を用い、手掌部３側に耐磨耗性の高い素材を用いることが好ましい。また、襠材４は、本体パーツ１Ａと同じ素材で形成されてもよいし、別の素材で構成されてもよい。たとえば、襠材４に伸縮性の高いニット素材を含めることで、ゴルフ用手袋を装着した際のフィット感を向上させることができる。
【００５４】
図１１は、関節部以外に相当する部分の指部の変形例の断面を示す。図１１の例では、手掌部３側の本体パーツ１Ａと襠材４とを重ね合わせ縫いにより縫合し（α部参照）、手甲部２側の本体パーツ１Ａと襠材４とを内縫いにより縫合している（β部参照）。手掌部３と襠材４とを内縫いで縫合した場合、仮に、グリップ時に手掌部３側の本体パーツ１Ａと襠材４との縫合線が指とグリップ部との間に介在すると、図１２（ａ）に示すように、指部内で一部分が三重に重なることになり、ごわつき感が大きくなる。これに対し、手掌部３と襠材４とを重ね合わせ縫いで縫合した場合、仮に、グリップ時に手掌部３側の本体パーツ１Ａと襠材４との縫合線が指とグリップ部との間に介在したとしても、図１２（ｂ）に示すように、指部内で多くても二重の重なりしか生じないため、手掌部３と襠材４とを内縫いで縫合した場合と比較して、ごわつき感を抑制し、フィット感の悪化を抑えることが可能である。
【００５５】
図１３は、関節部以外に相当する部分の指部の他の変形例の断面を示す。図１３の例では、指部の親指側のみにおいて本体パーツ１Ａと襠材４との縫合部（α部）を手掌部３から指の側面側に回り込んだ位置に形成している。この場合、図１３に示すように、襠材４の幅を左右で異ならせる必要がある。
【００５６】
次に、図１４〜図２０を用いて、中指当接部３３０における拡幅部３３１および凹部３３２の形態の変形例について説明する。なお、図１４〜図２０では、中指当接部３３０を例に挙げて説明するが、人差指当接部３２０、薬指当接部３４０および小指当接部３５０においても、同様の変形例を適用することは、当然に可能である。
【００５７】
上述の例では、拡幅部３３１の幅が指部の長さ方向全体にわたって略一定である例について説明したが、図１４，図１５に示すように、拡幅部３３１の幅は、中指当接部３３０の長さ方向に沿って変化してもよい。図１４，図１５の例では、指の先端と第１関節との間に当接する第１拡幅部３３１Ａの幅（Ｃ１）と、第１関節と第２関節との間に当接する第２拡幅部３３２Ａの幅（Ｃ２）と、第２関節と指の根元との間に当接する第３拡幅部の幅（Ｃ３）とを互いに異ならせている。図１４の例では、第１拡幅部の幅（Ｃ１）に対して第２拡幅部の幅（Ｃ２）を広く、かつ、第２拡幅部の幅（Ｃ２）に対して第３拡幅部の幅（Ｃ３）を広く形成している。また、図１５の例では、第１拡幅部の幅（Ｃ１）に対して第２拡幅部の幅（Ｃ２）を狭く形成し、第１拡幅部の幅（Ｃ１）および第２拡幅部の幅（Ｃ２）に対して第３拡幅部の幅（Ｃ３）を広く形成している。
【００５８】
たとえば、図１４に示される形態を採用した場合は、次のような効果が考えられる。上述したように、ゴルフクラブのグリップ部を握る際は。ゴルフクラブのグリップ部を人差指から小指の方向に対して斜めに配置し、その状態で人差指側を甲側、小指側を掌側に少しずらして握ることにより、手掌部から指の側面側にずれた位置もゴルフクラブのグリップ部に当接することになるが、この状態がより顕著に生じるのは指の根元側であって、指の先端側では、グリップ部をしっかりと握ることにより、主として指の手掌部側がグリップ部に当接することになる（すなわち、グリップ時には、ゴルファーの指が捩れている）。したがって、グリップ時に指とグリップ部との間に縫目が介在することを防止するために本体パーツ１Ａを手掌部３から指の側面側に回り込ませる必要性は、指の先端側から指の根元側に向かうにつれて高くなる。図１４に示される形態によれば、このような要請に応えて、グリップ時に指とグリップ部との間に縫目が介在することをより確実に防止することができる。
【００５９】
また、図１６〜図１９に示すように、凹部３３２の形態には、様々な変形例が考えられる。すなわち、凹部３３２は、図１６に示すように、半円状の形状を有してもよいし、図１７に示すように、Ｖ字状の形状を有してもよいし、図１８に示すように、Ｖ字と曲線を組合わせた形状を有してもよいし、図１９に示すように、比較的なだらかな曲線により規定される形状を有してもよい。
【００６０】
図１９に示すように、比較的なだらかな曲線により凹部３３２の形状を規定した場合は、本体パーツ１Ａと襠材４との縫合が行ないやすくなる。他方、このようにすることで、拡幅部３３１の範囲が低減されるので、グリップ時に指とグリップ部との間に縫目が介在する可能性が若干増大する。しかしながら、凹部３３２の範囲を広くすることで、ゴルファー毎の関節部の位置のばらつきに対応しやすいゴルフ用手袋を提供することができる。
【００６１】
本願発明者は、各指部における関節部の位置を定めるため、「手囲」が２３ｃｍの手袋を装着している複数のゴルファーの各指の関節の位置を測定した。その結果を表１に示す。
【００６２】
【表１】
2008253486.tif 000003
【００６３】
表１において、
１．「人差指長さ」，「中指長さ」，「薬指長さ」，「小指長さ」は、各指を投影した投影面の中央線上の長さ（指の先端から指の付根のしわまでの長さ）であり、
２．「第１関節距離」，「第２関節距離」は、各指の先端から第１関節および第２関節（しわ中央）までの、各指を投影した投影面の中央線上の長さであり、
３．「第１関節割合」，「第２関節割合」は、「各指長さ」に対する各指の先端から第１関節，第２関節までの距離の割合であり、
４．「関節位置範囲」は、Ａ〜Ｊの１０人の平均±２σの値であり、ゴルファーの約９７％の人の関節位置が入ると予想される範囲である。
【００６４】
表１に示される「関節位置範囲」に相当する部分に手袋の関節部を設けることで、大部分のゴルファーに適した手袋を提供することができる。ただし、関節部の範囲は、表１に示す関節位置の範囲に必ずしも限定されず、手袋の仕様に応じて適宜変更され得るものである。
【００６５】
上述した内容について要約すると、以下のようになる。すなわち、本実施の形態に係るゴルフ用手袋１は、装着者の掌に当接する手掌部３の少なくとも一部を含む領域を構成する「第１パーツ」としての本体パーツ１Ａと、装着者の指に当接する部分において本体パーツ１Ａに縫合される「第２パーツ」としての襠材４とを備える。
【００６６】
本体パーツ１Ａは、手掌部３側の装着者の指の関節部以外に当接する部分（図７中のＡ部）の幅を広げるように設けられた拡幅部３２１,３３１,３４１,３５１と、手掌部３側の装着者の指の関節部に当接する部分（図７中のＢ部）の幅を拡幅部３２１,３３１,３４１,３５１に対して減じるように設けられた凹部３２２,３３２,３４２,３５２とを有する。襠材４は、本体パーツ１Ａに向かって突出し、凹部３２２,３３２,３４２,３５２に嵌り合うように形成された凸部（たとえば図７中の中指部３０における凸部４３１）を有する。
【００６７】
換言すると、本体パーツ１Ａは、各指部における手掌部３側の装着者の関節部に当接する部分（図７中のＢ部）の幅（図２〜図４中のＢ１）が当該指部における他の部分（図７中のＡ部）の幅（図２〜図４中のＡ１）よりも狭くなるように形成されている。また、襠材４は、本体パーツ１Ａに向かって突出し、装着者の関節部に位置する指部の周囲長を補うように形成された凸部（たとえば図７中の中指部３０における凸部４３１）を有する。
【００６８】
なお、本実施の形態では、人差指部２０、中指部３０、薬指部４０および小指部５０の全ての指部において、各指部の少なくとも一方の側面側に拡幅部３２１,３３１,３４１,３５１および凹部３２２,３３２,３４２,３５２を設けた例について説明したが、一部の指部のみに拡幅部および凹部を設けるようにしてもよい。
【００６９】
また、拡幅部３２１,３３１,３４１,３５１および凹部３２２,３３２,３４２,３５２の形状は、図２〜図４に示すものに限定されず、図２〜図４に示すものよりも各指部における本体パーツ１Ａの幅が緩やかに変化するものであってもよい。
【００７０】
以上、本発明の実施の形態について説明したが、今回開示された実施の形態はすべての点で例示であって制限的なものではないと考えられるべきである。本発明の範囲は特許請求の範囲によって示され、特許請求の範囲と均等の意味および範囲内でのすべての変更が含まれることが意図される。
【図面の簡単な説明】
【００７１】
【図１】本発明の１つの実施の形態に係るゴルフ用手袋を手の甲側から見た状態を示す図である。
【図２】図１に示されるゴルフ用手袋の本体パーツを示す図である。
【図３】図１に示されるゴルフ用手袋の本体パーツの変形例を示す図である。
【図４】図１に示されるゴルフ用手袋の本体パーツの他の変形例を示す図である。
【図５】図２，図３に示される本体パーツの比較例を示す図である。
【図６】図４に示される本体パーツの比較例を示す図である。
【図７】図１に示されるゴルフ用手袋の指部（中指部）における手掌部と側面部との縫合部を拡大して示した図である。
【図８】図７におけるＡ部に相当する部分の指部の断面を模式的に示した図である。
【図９】図７におけるＢ部に相当する部分の指部の断面を模式的に示した図である。
【図１０】指の曲げにくさ／曲げやすさについて説明する図である。
【図１１】図７におけるＡ部に相当する部分の指部の変形例の断面を模式的に示した図である。
【図１２】縫い方によるごわつき感の違いについて説明する図である。
【図１３】図７におけるＡ部に相当する部分の指部の他の変形例の断面を模式的に示した図である。
【図１４】本体パーツにおける各指当接部の変形例を示した図（その１）である。
【図１５】本体パーツにおける各指当接部の変形例を示した図（その２）である。
【図１６】本体パーツにおける各指当接部の変形例を示した図（その３）である。
【図１７】本体パーツにおける各指当接部の変形例を示した図（その４）である。
【図１８】本体パーツにおける各指当接部の変形例を示した図（その５）である。
【図１９】本体パーツにおける各指当接部の変形例を示した図（その６）である。
【図２０】グリップ部と該グリップ部を握る手の指の方向との関係について説明する図（その１）である。
【図２１】グリップ部と該グリップ部を握る手の指の方向との関係について説明する図（その２）である。
【符号の説明】
【００７２】
１  ゴルフ用手袋、１Ａ  本体パーツ、２  手甲部、３  手掌部、４  襠材、１０  親指部、２０  人差指部、３０  中指部、４０  薬指部、５０  小指部、２２０  人差指当接部、２３０  中指当接部、２４０  薬指当接部、２５０  小指当接部、３２０  人差指当接部、３２１  拡幅部、３２２  凹部、３３０  中指当接部、３３１  拡幅部、３３１Ａ  第１拡幅部、３３１Ｂ  第２拡幅部、３３１Ｃ  第３拡幅部、３３２  凹部、３４０  薬指当接部、３４１  拡幅部、３４２  凹部、３５０  小指当接部、３５１  拡幅部、３５２  凹部、４３１  凸部。
【図１】
2008253486.tif 000004
【図２】
2008253486.tif 000005
【図３】
2008253486.tif 000006
【図４】
2008253486.tif 000007
【図５】
2008253486.tif 000008
【図６】
2008253486.tif 000009
【図７】
2008253486.tif 000010
【図８】
2008253486.tif 000011
【図９】
2008253486.tif 000012
【図１０】
2008253486.tif 000013
【図１１】
2008253486.tif 000014
【図１２】
2008253486.tif 000015
【図１３】
2008253486.tif 000016
【図１４】
2008253486.tif 000017
【図１５】
2008253486.tif 000018
【図１６】
2008253486.tif 000019
【図１７】
2008253486.tif 000020
【図１８】
2008253486.tif 000021
【図１９】
2008253486.tif 000022
【図２０】
2008253486.tif 000023
【図２１】
2008253486.tif 000024